(57)【要約】【課題】ＲＦＩＤリーダライタ用アンテナ装置およびＲＦＩＤタグ発行装置に関し、複数のＲＦＩＤタグが平行に隣接して配置されている場合であっても複数のＲＦＩＤタグに情報を適切に書き込むことを目的とする。【解決手段】ＲＦＩＤリーダライタ用アンテナ装置７は、長方形状の基板７ａの一方の面に二つの線状のアンテナ素子７ｂそれぞれを書き込み電波の波長λの１／４の長さに形成すると共にこれらのアンテナ素子７ｂを平行に隣接して配置し、二つの線状のアンテナ素子７ｂの同じ側の端部に給電部７ｃを設けている。この構成により二つのアンテナ素子７ｂの間に電界が生じ基板７ａの上下面方向に電界が放射される。これにより、例えばシート上に平行に隣接して配置された複数のＲＦＩＤタグの搬送方向と直交する方向に基板７ａの長手方向を向けて配置すれば、複数のＲＦＩＤタグに情報を適切に書き込むことができる。【選択図】図４
2010165150.tif 000002
【特許請求の範囲】
【請求項１】
長方形状の基板の一方の面に二つの線状のアンテナ素子それぞれを書き込み電波の波長λの１／４の長さに形成すると共にこれらのアンテナ素子を平行に配置し、前記二つの線状のアンテナ素子の同じ側の端部に給電部を設けたことを特徴とするＲＦＩＤリーダライタ用アンテナ装置。
【請求項２】
前記給電部に平衡と不平衡とを変換するバランを設けたことを特徴とする請求項１に記載のＲＦＩＤリーダライタ用アンテナ装置。
【請求項３】
前記アンテナ素子は、エッチング加工により形成された線状パターンであることを特徴とする請求項１または請求項２に記載のＲＦＩＤリーダライタ用アンテナ装置。
【請求項４】
請求項１から請求項３のいずれか１項に記載のＲＦＩＤリーダライタ用アンテナ装置と、
複数のＲＦＩＤタグを所定の間隔ごとに平行に隣接して配置した搬送帯と、
前記搬送帯の搬送により前記複数のＲＦＩＤタグを所定の位置まで搬送する搬送部と、
前記搬送帯から前記複数のＲＦＩＤタグをそれぞれ分離する分離部と、
前記ＲＦＩＤリーダライタ用アンテナ装置を介して所定の位置に移動された前記複数のＲＦＩＤタグに情報の書き込みをそれぞれ行うリーダライタとを備え、
前記搬送帯の搬送方向と直交する方向に前記ＲＦＩＤリーダライタ用アンテナ装置の基板の長手方向を向けて配置したことを特徴とするＲＦＩＤタグ発行装置。
【発明の詳細な説明】
【技術分野】
【０００１】
本発明は、ＲＦＩＤリーダライタ用アンテナ装置およびＲＦＩＤタグ発行装置に関する。
【背景技術】
【０００２】
近年、物流、物品などの管理を効率化するために、ＲＦＩＤ（Ｒａｄｉｏ  Ｆｒｅｑｕｅｎｃｙ  ＩＤｅｎｔｉｆｉｃａｔｉｏｎ）タグが利用されている。例えば、ＲＦＩＤタグ付きラベルを商品に貼付し、このＲＦＩＤタグ付きラベルのタグ情報を使って商品を管理し、配送先別に仕分けするなどしていた。このような中で、ＲＦＩＤタグ付きラベルを量産するためのＲＦＩＤタグ発行装置が提案されている。
【０００３】
従来のＲＦＩＤタグ発行装置では、搬送帯に複数のＲＦＩＤタグが所定間隔で配置されているものをロール状に巻き取って用意しておき、この搬送帯上のＲＦＩＤタグを搬送部により所定の位置にあるＲＦＩＤリーダライタ用アンテナ装置まで搬送していた。そして、リーダライタによりＲＦＩＤリーダライタ用アンテナ装置を介してＲＦＩＤタグに情報の書き込みを行っていた（例えば、特許文献１参照）。
【特許文献１】特開２００６−３３８１７９号公報
【発明の開示】
【発明が解決しようとする課題】
【０００４】
ＲＦＩＤタグ発行装置では、小型化の要望が強いため装置内のスペースも限られていた。そこで、ＲＦＩＤリーダライタ用アンテナ装置として小型で厚みを薄くすることができるダイポール型アンテナをＲＦＩＤリーダライタ用アンテナ装置として使用することが考えられる。このダイポール型アンテナは直線状に縦列に配置した二つのアンテナ素子から構成され、二つのアンテナ素子の間に給電点が設けられている。リーダライタは、ダイポール型アンテナの給電点に接続された同軸ケーブルを介して電気的に接続されている。
【０００５】
しかしながら、ダイポール型アンテナではアンテナ素子を中心軸としたドーナツ状に書き込み電波を放射するので、リーダライタにより搬送帯上に平行に隣接して配置された複数のＲＦＩＤタグのいずれか一つに情報を書き込むときに隣接する複数のＲＦＩＤタグに同じ情報が書き込まれる、つまり適切な書き込みができないという課題があった。
【０００６】
そこで本発明は、複数のＲＦＩＤタグが平行に隣接して配置されている場合であっても複数のＲＦＩＤタグに適切な書き込みができるようにすることを目的とする。
【課題を解決するための手段】
【０００７】
この目的を達成するために本発明のＲＦＩＤリーダライタ用アンテナ装置は、長方形状の基板の一方の面に二つの線状のアンテナ素子それぞれを書き込み電波の波長λの１／４の長さに形成すると共にこれらのアンテナ素子を平行に配置し、二つの線状のアンテナ素子の同じ側の端部に給電部を設けたことを特徴とする。このような構成により、所期の目的を達成するものである。
【０００８】
また、本発明のＲＦＩＤタグ発行装置は、上記したＲＦＩＤリーダライタ用アンテナ装置と、複数のＲＦＩＤタグを所定の間隔ごとに平行に隣接して配置した搬送帯と、搬送帯の搬送により複数のＲＦＩＤタグを所定の位置まで搬送する搬送部と、搬送帯から複数のＲＦＩＤタグをそれぞれ分離する分離部と、ＲＦＩＤリーダライタ用アンテナ装置を介して所定の位置に移動された複数のＲＦＩＤタグに情報の書き込みをそれぞれ行うリーダライタとを備え、搬送帯の搬送方向と直交する方向にＲＦＩＤリーダライタ用アンテナ装置の基板の長手方向を向けて配置したことを特徴とする。このような構成により、所期の目的を達成するものである。
【発明の効果】
【０００９】
以上のように本発明のＲＦＩＤリーダライタ用アンテナ装置は、長方形状の基板の一方の面に二つの線状のアンテナ素子それぞれを書き込み電波の波長λの１／４の長さに形成すると共にこれらのアンテナ素子を平行に配置し、二つの線状のアンテナ素子の同じ側の端部に給電部を設けた構成としたので、二つのアンテナ素子の間に電界が生じ基板の上下面方向に電界が放射される。この電界の放射方向を利用してＲＦＩＤタグの一つずつに情報を書き込むことができる。すなわち、シート上に平行に隣接して配置された複数のＲＦＩＤタグの搬送方向と直交する方向にＲＦＩＤリーダライタ用アンテナ装置の基板の長手方向を向けて配置すれば、ＲＦＩＤリーダライタ用アンテナ装置の基板の上下面方向に電界を放射するので、シート上の複数のＲＦＩＤタグに情報を適切に書き込むことができる。
【００１０】
また、本発明のＲＦＩＤタグ発行装置は、上記したＲＦＩＤリーダライタ用アンテナ装置と、複数のＲＦＩＤタグを所定の間隔ごとに平行に隣接して配置した搬送帯と、搬送帯の搬送により複数のＲＦＩＤタグを所定の位置まで搬送する搬送部と、搬送帯から複数のＲＦＩＤタグをそれぞれ分離する分離部と、ＲＦＩＤリーダライタ用アンテナ装置を介して所定の位置に移動された複数のＲＦＩＤタグに情報の書き込みをそれぞれ行うリーダライタとを備え、搬送帯の搬送方向と直交する方向にＲＦＩＤリーダライタ用アンテナ装置の基板の長手方向を向けて配置したので、ＲＦＩＤリーダライタ用アンテナ装置の基板の上下面方向に電界が放射され、ＲＦＩＤタグの一つずつに情報を書き込むことができる。すなわち、リーダライタはＲＦＩＤリーダライタ用アンテナ装置を介して搬送帯上の複数のＲＦＩＤタグに情報を適切に書き込むことができる。
【発明を実施するための最良の形態】
【００１１】
以下、本発明の実施の形態について、図面を参照しながら説明する。
【００１２】
（実施の形態）
まず、図１〜図６を参照しながら、本発明の実施の形態におけるＲＦＩＤタグ発行装置について説明する。
【００１３】
図１は本発明の実施の形態におけるＲＦＩＤタグ発行装置１の正面断面図、図２は同ＲＦＩＤタグ発行装置１で使用される搬送帯３の正面図、図３は同ＲＦＩＤタグ発行装置１に用いられるＲＦＩＤタグ４の構成図、図４は同ＲＦＩＤタグ発行装置１におけるＲＦＩＤリーダライタ用アンテナ装置７の上面図、図５は図４のＡ−Ａ線断面図、図６（ａ）は本発明の実施の形態におけるＲＦＩＤリーダライタ用アンテナ装置７で発生する電界１６を説明する断面図、図６（ｂ）は同ＲＦＩＤリーダライタ用アンテナ装置７の配置方向を説明する上面図である。
【００１４】
図１に示すように、ＲＦＩＤタグ発行装置１は、本体ケース２内にリール１３が回転自在に設けられている。このリール１３には搬送帯３が巻きつけられており、この搬送帯３の先端はテンションローラ部９を介し、搬送部としてのプラテンローラ８により本体ケース２の側面側に設けた発行口１２へと搬送される構造となっている。
【００１５】
搬送帯３は、その上面側に所定間隔３ａをおいて複数のＲＦＩＤタグ４が配置されているので、搬送帯３を介してプラテンローラ８とは反対側近傍（上方近傍）には、このプラテンローラ８に対向するように、例えば印字ヘッドよりなる印刷部１０が配設されている。
【００１６】
プラテンローラ８と印刷部１０は対向位置で、しかも近傍に配置されている。例えば、印刷部１０の搬送帯３に接触する部分は、プラテンローラ８が搬送帯３に接触する部分よりも、発行口１２側になっている。発行口１２の手前に設けた分離部１１は、金属製の切断刃により構成されており、この切断刃により搬送帯３の所定間隔３ａの部分を切断する。これにより、分離部１１は搬送帯３からＲＦＩＤタグ４を分離する。
【００１７】
またリーダライタ６は、搬送帯３の送りにより複数のＲＦＩＤタグ４が順次に所定の位置、すなわちＲＦＩＤリーダライタ用アンテナ装置７が設置されている位置まで搬送（搬送方向Ｂ）されると、ＲＦＩＤリーダライタ用アンテナ装置７を介して各ＲＦＩＤタグ４に情報の書き込みを行う。
【００１８】
搬送帯３には、図２に示すように、帯状のシート３ｃ上に複数のＲＦＩＤタグ４が所定間隔３ａの隙間をあけて平行に隣接して配置されている。そして、リール１３に搬送帯３が巻きつけられている。ＲＦＩＤタグ４にデータの読み書きおよび印刷がなされた後、分離部１１は所定間隔３ａの隙間の部分を切断する。
【００１９】
ＲＦＩＤタグ４としては、ラベル印刷可能なものを使用することができ、印刷部１０により印刷面に視覚ＩＤ情報３ｂにバーコード、商品情報などが印刷される。
【００２０】
図３に示すように、ＲＦＩＤタグ４は長方形状の基板４ｃの一方の面にタグアンテナ部４ａとタグＩＣチップ４ｂとを備え、タグＩＣチップ４ｂ内には商品の識別情報が記憶されている。
【００２１】
以上のような構成により、ＲＦＩＤタグ発行装置１は管理する商品の形態に合わせたＲＦＩＤタグ４を発行することができる。
【００２２】
ところで、ＲＦＩＤタグ発行装置１は小型化の要望が強いため装置内のスペースも限られる。そこで、ＲＦＩＤリーダライタ用アンテナ装置７として、小型で厚みを薄くすることができるダイポール型アンテナを用いることが考えられる。
【００２３】
しかしながら、電力を供給する給電部７ｃを中心に左右方向に１８０°開いた二つのアンテナ素子（二つのアンテナ素子を含む全体の長さが波長λの１／２）で構成される従来のダイポール型アンテナでは、アンテナ素子を中心にドーナツ状に書き込み電波を放射するので、リーダライタ６によりシート３ｃ上に平行に隣接して配置された複数のＲＦＩＤタグ４のいずれか一つに情報の書き込みを行うと、複数のＲＦＩＤタグ４に同じ情報が書き込まれる、つまり適切な書き込みができない。
【００２４】
そこで、ＲＦＩＤリーダライタ用アンテナ装置７を近接書き込み用にして適切な書き込みができるようにした。
【００２５】
すなわち、図４に示すように、本実施の形態のＲＦＩＤリーダライタ用アンテナ装置７では長方形状の絶縁性の基板７ａの一方の面に二つの線状のアンテナ素子７ｂそれぞれを書き込み電波の波長λの１／４の長さに形成すると共にこれらのアンテナ素子７ｂを平行に隣接して配置し、二つの線状のアンテナ素子７ｂの同じ側の端部に給電部７ｃを設けている。二つのアンテナ素子７ｂの間の距離は後述する特性インピーダンスＺに合わせて設定される。二つのアンテナ素子７ｂの間の距離は、例えば、特性インピーダンスＺを５０オームとした場合、二つのアンテナ素子７ｂの間の距離は２ｍｍに設定される。
【００２６】
これにより、図５に示すように、ＲＦＩＤリーダライタ用アンテナ装置７は二つのアンテナ素子７ｂの間に電界１６が生じ基板７ａの上下面方向に電界１６が放射される。この電界１６の放射方向を利用してＲＦＩＤタグ４の一つずつに情報を書き込むことができる。
【００２７】
すなわち、図６（ａ）および図６（ｂ）に示すように、シート３ｃ上に平行に隣接して配置された複数のＲＦＩＤタグ４が搬送される搬送方向Ｂと直交する方向、すなわちシート３ｃの搬送方向Ｂと直交する方向にＲＦＩＤリーダライタ用アンテナ装置７の基板７ａの長手方向を向けて配置する。これにより、ＲＦＩＤリーダライタ用アンテナ装置７の基板７ａの上下面方向に電界１６が放射されるので、ＲＦＩＤタグ４が搬送方向Ｂに搬送される際、基板７ａの上面方向の位置に搬送されたＲＦＩＤタグ４には電界１６が届き、リーダライタ６からの情報が書き込まれる。一方、基板７ａの上面方向からＲＦＩＤタグ４が外れたときには電界１６が届いていないので、リーダライタ６からの情報は書き込まれない。このようにして、シート３ｃ上に平行に隣接して配置された複数のＲＦＩＤタグ４に情報を適切に書き込むことができる。
【００２８】
図４に戻り、アンテナ素子７ｂは線状パターンで構成され、この線状パターンはエッチング加工により形成される。このように、ＲＦＩＤリーダライタ用アンテナ装置７のアンテナ素子７ｂは形状が単純な線状パターンであるため、容易に製造することができる。
【００２９】
そして、同軸ケーブル１４の銅などでできた芯線よりなる内部導体１４ａを給電部７ｃを介して一方のアンテナ素子７ｂに電気的に接続している。また同様に、同軸ケーブル１４の細い導線を編んだ網状の編組線と呼ばれるシールド層よりなる外部導体１４ｂを給電部７ｃを介して他方のアンテナ素子７ｂに電気的に接続している。
【００３０】
給電部７ｃは、アンテナ素子７ｂ側と同軸ケーブル１４側との平衡と不平衡とを変換するバラン１５を備えている。また、ＲＦＩＤリーダライタ用アンテナ装置７は二つのアンテナ素子７ｂの間隔によりインピーダンスが変化するので、二つのアンテナ素子７ｂの間隔に応じてバラン１５によりインピーダンスをマッチングさせる。ＲＦＩＤリーダライタ用アンテナ装置７において、ＵＨＦ帯の９５０ＭＨｚの書き込み電波を使用する場合に、二つのアンテナ素子７ｂの間隔を２ｍｍに設定するとインピーダンスはおおよそ２００オームとなる。この場合、４：１のバラン１５を用いてアンテナ素子７ｂ側のインピーダンス（例えば、２００オーム）を同軸ケーブル１４側のインピーダンス（例えば、５０オーム）に変換する。
【００３１】
同軸ケーブル１４は、内部導体１４ａをポリエチレンなどの絶縁体で包み、さらにその外側を外部導体１４ｂで包み、最後に外側をビニールなどの保護被覆で覆った構造になっている。リーダライタ６からの信号は内部導体１４ａを流れる。これにより、外部導体１４ｂの編組線が外部からの電磁波を遮断するため、減衰やノイズを低く抑えることができる。また、同軸ケーブル１４の内部からの電磁波の漏洩も少ない。ＲＦＩＤリーダライタ用アンテナ装置７は、この同軸ケーブル１４を介してリーダライタ６に電気的に接続されている。
【００３２】
次に、図７を参照しながら、ＲＦＩＤタグ発行装置１の動作について説明する。図７は本発明の実施の形態におけるＲＦＩＤタグ発行装置１のブロック図である。
【００３３】
図７に示すように、ＲＦＩＤタグ発行装置１は、ＲＦＩＤリーダライタ用アンテナ装置７と同軸ケーブル１４を介してＲＦＩＤリーダライタ用アンテナ装置７と電気的に接続されたリーダライタ６とを備えている。
【００３４】
リーダライタ６は、インピーダンスを整合させる整合部２０、サーキュレータ２１、パワーアンプ２２、ＲＦフロントエンド部２３、信号処理部２４、無線制御部２５を備えている。リーダライタ６は、ＲＦＩＤリーダライタ用アンテナ装置７を介してＲＦＩＤタグ４を読み書きする。また、リーダライタ６は制御部２６に接続されている。
【００３５】
ＲＦフロントエンド部２３は、コマンドやデータを搬送する搬送波として、ＨＦ帯（例えば、１３．５６ＭＨｚ）、ＵＨＦ帯（例えば、９５２ＭＨｚ〜９５５ＭＨｚ）、マイクロ波帯（例えば、２．４５ＧＨｚ）の周波数などを利用する。
【００３６】
制御部２６は、中央処理装置（ＣＰＵ）、各種プログラムや制御プログラムを記憶するリードオンリメモリ（ＲＯＭ）、データなどを一時記憶するランダムアクセスメモリ（ＲＡＭ）を備え、各部の回路を制御する。そして、制御部２６には、入力部２７、表示部２８、電源部２９、パーソナルコンピュータなどと接続するためのＩ／Ｆ３０、既述の印刷部１０、分離部１１、プラテンローラ８を駆動する駆動モータ３１が接続されている。
【００３７】
このような構成により、ＲＦＩＤタグ発行装置１は、図２に示す搬送帯３上のＲＦＩＤタグ４を密封したシート３ｃの表面に視覚ＩＤ情報３ｂの印刷と、タグＩＣチップ４ｂへの電子ＩＤ情報の記録を行う。すなわち、プラテンローラ８により搬送帯３の先端を発行口１２の方向へと搬送し、図１に示すＲＦＩＤリーダライタ用アンテナ装置７の上側（所定の位置）にＲＦＩＤタグ４が搬送された状態で、リーダライタ６がＲＦＩＤリーダライタ用アンテナ装置７を介してＲＦＩＤタグ４と無線通信（問い合わせ信号の送信および応答信号の受信）し、これによりタグＩＣチップ４ｂのＩＤメモリ４ｄ内に各ＲＦＩＤタグ４間で互いに異なる電子ＩＤ情報を記録する。
【００３８】
そして、図１の状態からプラテンローラ８を正転させながら、そこよりもわずかに下流にある印刷部１０により視覚ＩＤ情報３ｂを図２のようにＲＦＩＤタグ４が配置されているシート３ｃの表面に印刷する。その後、これら電子ＩＤ情報の記録と、視覚ＩＤ情報３ｂの印刷が終了した状態で、ＲＦＩＤタグ４の切断部分（例えば、図１、図２の所定間隔３ａ）が分離部１１の真上に来るまでプラテンローラ８で搬送帯３を搬送方向Ｂに搬送し、次に分離部１１を上昇させて電子ＩＤ情報の記録と、視覚ＩＤ情報３ｂの印刷が終了したＲＦＩＤタグ４を切断して分離する。
【００３９】
搬送帯３に設けた複数のＲＦＩＤタグ４に、連続的に互いに異なる電子ＩＤ情報の記録と、互いに異なる視覚ＩＤ情報３ｂの印刷を行う場合には、上記動作を連続的に行う。
【００４０】
以上のように本実施の形態によれば、ＲＦＩＤリーダライタ用アンテナ装置７は、長方形状の基板７ａの一方の面に二つの線状のアンテナ素子７ｂそれぞれを書き込み電波の波長λの１／４の長さに形成すると共にこれらのアンテナ素子７ｂを平行に隣接して配置し、二つの線状のアンテナ素子７ｂの同じ側の端部に給電部７ｃを設けている。
【００４１】
このような構成により、ダイポール型アンテナでも近傍に書き込み電波を飛ばすことができる。すなわち、二つのアンテナ素子７ｂの間に電界１６が生じ基板７ａの上下面方向に電界１６が放射される。この電界１６の放射方向を利用してＲＦＩＤタグ４の一つずつに情報を書き込むことができる。すなわち、ＲＦＩＤリーダライタ用アンテナ装置７の基板７ａの上下側に電界１６を放射するので、帯状のシート３ｃ上の平行に隣接して配置された複数のＲＦＩＤタグ４の搬送方向Ｂと直交する方向にＲＦＩＤリーダライタ用アンテナ装置７の基板７ａの長手方向を向けて配置すれば、複数のＲＦＩＤタグ４に情報を適切に書き込むことができる。また、図８に示すように、基板７ａに並行配置される二つのアンテナ素子７ｂの間の距離ｓは、下記の（数１）により算出される特性インピーダンスＺに合わせて設定される。ここで、ｗはアンテナ素子７ｂの幅、ｓは二つのアンテナ素子７ｂの間の距離、ｈは基板７ａの厚み、εｒは基板７ａの比誘電率である。
【００４２】
【数１】
2010165150.tif 000003
【００４３】
また、ＲＦＩＤリーダライタ用アンテナ装置７では、アンテナ素子７ｂそれぞれを書き込み電波の波長λの１／４の長さに形成しているので、給電部７ｃを中心に電流分布は対称となる。これにより、給電部７ｃでは電流成分が互いに打ち消されるので、ＲＦＩＤリーダライタ用アンテナ装置７を同軸ケーブル１４の内部導体１４ａと外部導体１４ｂとに接続しても、同軸ケーブル１４の外部導体１４ｂには漏れ電流が発生しない。このため、本体ケース２の金属と外部導体１４ｂとの間では電磁界が発生せず、外部導体１４ｂと金属とを近づけてもアンテナ特性は変化しないので、本体ケース２の金属部分を避けて同軸ケーブル１４を配線する必要がなくなり、同軸ケーブル１４の引き回しが容易となる。
【００４４】
また、ＲＦＩＤタグ発行装置１は、上記したＲＦＩＤリーダライタ用アンテナ装置７と、複数のＲＦＩＤタグ４を所定間隔３ａごとに配置した搬送帯３と、搬送帯３の搬送により複数のＲＦＩＤタグ４を所定の位置まで搬送する搬送部としてのプラテンローラ８およびテンションローラ部９と、搬送帯３から各ＲＦＩＤタグ４を分離する分離部１１と、ＲＦＩＤリーダライタ用アンテナ装置７を介して所定の位置に移動された各ＲＦＩＤタグ４に書き込みを行うリーダライタ６とを備え、搬送帯３のシート３ｃの搬送方向Ｂと直交する方向にＲＦＩＤリーダライタ用アンテナ装置７の基板７ａの長手方向を向けて配置した構成としたので、ＲＦＩＤリーダライタ用アンテナ装置７の基板７ａの上下面方向に電界１６が放射され、ＲＦＩＤタグ４の一つずつに情報を書き込むことができる。すなわち、リーダライタ６はＲＦＩＤリーダライタ用アンテナ装置７を介して複数のＲＦＩＤタグ４に情報を適切に書き込むことができる。
【産業上の利用可能性】
【００４５】
以上のように本発明は、長方形状の基板の一方の面に二つの線状のアンテナ素子それぞれを書き込み電波の波長λの１／４の長さに形成すると共にこれらのアンテナ素子を平行に隣接して配置し、二つの線状のアンテナ素子の同じ側の端部に給電部を設けているので、二つのアンテナ素子の間に電界が生じ基板の上下面方向に電界が放射される。これにより、シート上に平行に隣接して配置された複数のＲＦＩＤタグの搬送方向と直交する方向に基板の長手方向を向けて複数のＲＦＩＤタグに情報を適切に書き込むことを可能とするＲＦＩＤリーダライタ用アンテナ装置、ＲＦＩＤタグ発行装置に有用なものである。
【図面の簡単な説明】
【００４６】
【図１】本発明の実施の形態におけるＲＦＩＤタグ発行装置の正面断面図
【図２】同ＲＦＩＤタグ発行装置で使用される搬送帯の正面図
【図３】同ＲＦＩＤタグ発行装置に用いられるＲＦＩＤタグの構成図
【図４】同ＲＦＩＤタグ発行装置におけるＲＦＩＤリーダライタ用アンテナ装置の上面図
【図５】図４のＡ−Ａ線断面図
【図６】（ａ）は本発明の実施の形態におけるＲＦＩＤタグ発行装置のＲＦＩＤリーダライタ用アンテナ装置で発生する電界を説明する断面図、（ｂ）は同ＲＦＩＤリーダライタ用アンテナ装置の配置方向を説明する上面図
【図７】同ＲＦＩＤタグ発行装置のブロック図
【図８】同ＲＦＩＤタグ発行装置におけるＲＦＩＤリーダライタ用アンテナ装置の断面図
【符号の説明】
【００４７】
１    ＲＦＩＤタグ発行装置
２    本体ケース
３    搬送帯
３ａ    所定間隔
３ｂ    視覚ＩＤ情報
３ｃ    シート
４    ＲＦＩＤタグ
４ａ    タグアンテナ部
４ｂ    タグＩＣチップ
４ｃ，７ａ    基板
４ｄ    ＩＤメモリ
６    リーダライタ
７    ＲＦＩＤリーダライタ用アンテナ装置
７ｂ    アンテナ素子
７ｃ    給電部
８    プラテンローラ
９    テンションローラ部
１０    印刷部
１１    分離部
１２    発行口
１３    リール
１４    同軸ケーブル
１４ａ    内部導体
１４ｂ    外部導体
１５    バラン
１６    電界
２０    整合部
２１    サーキュレータ
２２    パワーアンプ
２３    ＲＦフロントエンド部
２４    信号処理部
２５    無線制御部
２６    制御部
２７    入力部
２８    表示部
２９    電源部
３０    Ｉ／Ｆ
３１    駆動モータ
【図１】
2010165150.tif 000004
【図２】
2010165150.tif 000005
【図３】
2010165150.tif 000006
【図４】
2010165150.tif 000007
【図５】
2010165150.tif 000008
【図６】
2010165150.tif 000009
【図７】
2010165150.tif 000010
【図８】
2010165150.tif 000011